(57)【要約】【課題】メカニカルキー等の連結体の挿入により完成される連結部の配置の自由度を高めることによりデザイン自由度が高い解錠キーの提供を目的とする。【解決手段】２個のケース構成体１、２により形成される内部空間に錠制御装置との電子認証用交信手段を含む電子回路を収容したキーケース３と、  キーケース３に形成された挿入開口４から挿入されて該キーケース３に着脱可能に装着されるケース装着体５とを有し、  前記挿入開口４の内壁には、該内壁からの突出位置と、ケース装着体５の挿入時に排斥される排斥位置との間で移動可能で、突出位置側に付勢される検知部６が設けられるとともに、  ケース構成体１、２のいずれか一方には、前記検知部６の排斥位置への位置変更に伴って他方に係止してケース構成体１、２同士を連結し、突出位置への移動により係止解除される係止部７が設けられる。【選択図】  図５
2007270544.tif 000002
【特許請求の範囲】
【請求項１】
２個のケース構成体により形成される内部空間に錠制御装置との電子認証用交信手段を含む電子回路を収容したキーケースと、
キーケースに形成された挿入開口から挿入されて該キーケースに着脱可能に装着されるケース装着体とを有し、
前記挿入開口の内壁には、該内壁からの突出位置と、ケース装着体の挿入時に排斥される排斥位置との間で移動可能で、突出位置側に付勢される検知部が設けられるとともに、
ケース構成体のいずれか一方には、前記検知部の排斥位置への位置変更に伴って他方に係止してケース構成体同士を連結し、突出位置への移動により係止解除される係止部が設けられる電子キー装置。
【請求項２】
前記検知部と係止部とが合成樹脂材により形成されるケース構成体に一体形成される請求項１記載の電子キー装置。
【請求項３】
前記ケース装着体の取り外し時にキーケースの連結状態を維持する補助連結部を有する請求項１または２記載の電子キー装置。
【請求項４】
前記キーケースには、装着されるケース装着体に弾発係止してケース装着体のキーケースからの抜去を規制するとともに、キーケース外からの係止解除操作が可能な装着体係止部が設けられる請求項１、２または３記載の電子キー装置。
【請求項５】
前記キーケースに抜去可能に収納されるメカニカルキーがケース装着体として使用される請求項１から４のいずれかに記載の電子キー装置。
【発明の詳細な説明】
【技術分野】
【０００１】
本発明は、電子キー装置に関するものである。
【背景技術】
【０００２】
電子的認証用ＩＤの送信手段を含むケース内にメカニカルキーを収納可能な電子キー装置としては、特許文献１に記載のものが知られている。この従来例において、ケースは第１ケース部と第２ケース部とを積層して連結される。第１ケース部と第２ケース部との連結境界にはメカニカルキーの挿入部が形成されており、各ケース部の外側壁には挿入部開口端に被挟持部が突設される。
【０００３】
一方、メカニカルキーには凹状の挟着部が形成され、メカニカルキーをケースに装着した状態で第１、第２ケース部の被挟持部は挟着部で挟まれて連結状態が維持される。
【特許文献１】特開２００５-２９０９０５号公報
【発明の開示】
【発明が解決しようとする課題】
【０００４】
しかし、上述した従来例において、ケース外側壁に被挟持部を突設させる必要があるために、デザインの自由度が低いという欠点がある。
【０００５】
本発明は、以上の欠点を解消すべくなされたものであって、メカニカルキー等の連結体の挿入により完成される連結部の配置の自由度を高めることによりデザイン自由度が高い解錠キーの提供を目的とする。
【課題を解決するための手段】
【０００６】
本発明によれば上記目的は、
２個のケース構成体１、２により形成される内部空間に錠制御装置との電子認証用交信手段を含む電子回路を収容したキーケース３と、
キーケース３に形成された挿入開口４から挿入されて該キーケース３に着脱可能に装着されるケース装着体５とを有し、
前記挿入開口４の内壁には、該内壁からの突出位置と、ケース装着体５の挿入時に排斥される排斥位置との間で移動可能で、突出位置側に付勢される検知部６が設けられるとともに、
ケース構成体１、２のいずれか一方には、前記検知部６の排斥位置への位置変更に伴って他方に係止してケース構成体１、２同士を連結し、突出位置への移動により係止解除される係止部７が設けられる電子キー装置を提供することにより達成される。
【０００７】
電子キー装置のキーケース３は、電子回路を収容する内部空間を２個のケース構成体１、２により囲って形成され、キーケース３に形成される挿入開口４からケース装着体５を装着することによりケース構成体１、２同士が連結される。ケース装着体５による連結は、ケース構成体１、２同士の唯一の連結手段であっても、あるいは、例えば、一端部がヒンジピン、あるいはフック等の係止手段で係止されたケース構成体１、２同士の他端部をケース装着体５の装着により連結させるように、他の補助的な連結部と協働して連結状態を完成させるものであってもよい。
【０００８】
上記挿入開口４の内壁に突設される検知部６は、ケース装着体５の挿入経路に干渉する突出位置と、ケース装着体５の挿入開口４への挿入によりケース装着体５により排斥される排斥位置との間で移動自在であり、排斥位置への移動に伴って係止部７を他方のケース構成体１、２との係止位置側に移動させる。
【０００９】
検知部６の動作により係止部７を駆動する構成は、例えば、検知部６を一端が挿入開口４に進退する回転レバーとして形成し、係止部７を検知部６の非検知端により並進駆動されるラッチ体として形成する等、適宜の周知機構を利用できる。また、検知部６と係止部７とは一体に形成することが可能であり、この場合、一端に検知部６、中間に係止部７を備えた他端が回転自在な回転レバーとして形成することができる。
【００１０】
さらに、検知部６に対する付勢力の付与は、スプリングを使用することにより実現できるが、検知部６と係止部７とを合成樹脂材等の弾性変形能を有する材料により一体形成し、弾性復元力を付勢力に利用することができる。この場合、合成樹脂材により形成されるケース構造体の一部として検知部６、係止部７を形成すると、製造工数を低減させることができる。
【００１１】
したがってこの発明において、ケース装着体５を装着するだけでケース構成体１、２の連結完了、あるいは連結補強等を行うことができる。また、連結に際し、上述した従来例のように、ケース外表面への突出要素を必須としないために、デザインの自由度が高まる。
【００１２】
ケース装着体５は、上記キーケース３に着脱自在に連結される部品であり、キーリング挿通孔形成部材、ストラップ装着部材等、キーケース３に連結した状態でキーケース３に特別の機能を付与するアクセサリ部品であっても、あるいは、電子的認証手段に不具合があった場合に備えてキーケース３に収納状態で用意されるメカニカルキーであってもよい。
【発明の効果】
【００１３】
本発明によれば、メカニカルキー等のケース装着体の挿入により完成される連結部の配置の自由度を高めることができるために、デザイン自由度を高めることができる。
【発明を実施するための最良の形態】
【００１４】
図１に電子エントリーシステムに対する操作用携帯器として構成された本発明の実施の形態を示す。携帯器は、電子エントリーシステムにおける錠制御装置と交信するための電子認証用交信手段を内蔵するキーケース３と、キーケース３に格納されるメカニカルキー（ケース装着体５）とから構成される。
【００１５】
メカニカルキー５は、主として電子認証システムの不具合時等に緊急施解錠操作を行うために用意され、図２に示すように、キーブレード部１０の一端に金属または合成樹脂製のキーヘッド部１１を固定して形成される。キーブレード部１０には、図外の解錠コード形成凹部が形成され、錠装置のシリンダ錠に挿入した際に当該解錠コード形成凹部がシリンダ錠に予め設定された解錠コードへの合致を条件にシリンダ錠を回転操作して錠装置の施解錠操作を行うことができる。
【００１６】
キーヘッド部１１は前端（以下、本明細書において、図１（ａ）において上方、すなわち、格納時にメカニカルキー５を挿入する方向に対して反対方向を「前方」とする。）にキーリング装着孔１１ａを備えた合成樹脂材の射出成型品であり、図２（ａ）に示すように、予め成型された後、キーブレード部１０に機械的に固定され、あるいはキーブレード部１０にアウトサート成型される。
【００１７】
キーヘッド部１１は、後方、すなわちキーブレード部１０の先端方に向けて開放される開口部１１ｂを備え、開口部１１ｂの両側方に押圧壁１１ｃが立設される。また、開口部１１ｂの天井壁には係止フック１１ｄが開口部１１ｂ中央部に向けて突設される。この係止フック１１ｄの後端壁は、後方に行くに従って漸次突出寸法が小寸となる傾斜面により形成される。
【００１８】
図１、３に示すように、キーケース３は、上記電子認証用交信手段を含む電子回路が実装されたプリント基板１２が固定される第１ケース（ケース構成体１）と、施解錠等を行うための操作ボタン１３が配置される第２ケース（ケース構成体２）とを積層状に連結して形成される。第１、第２ケース１、２には、後述する係止部６による連結が解除された場合であっても連結状態を維持するための補助連結部８が形成される。補助連結部８は、図４（ｂ）、（ｃ）に示すように、一方に形成される弾性係止脚８ａを他方の係止凹部８ｂに弾発的に係止して係止関係を確立するスナップフィット構造により形成される。
【００１９】
後述するように、メカニカルキー５を抜去した状態で露出する連結解除用スリット１４へのこじり操作により容易に補助連結部８の連結が解除されるように、第１、第２ケース１、２の側縁に配置される弾性係止脚８ａと係止凹部８ｂとの接触面は、図４（ｂ）に示すように、離隔方向への力により弾性係止脚８ａに係止解除方向の分力が発生しやすい斜面で形成される。これに対し、係止部７により連結される反対端に位置する補助連結部８は、係止部７における締め付け力により発生する捲り上がり方向の力により妄りに連結解除されないように、図４（ｃ）に示すように、弾性係止脚８ａと係止凹部８ｂとの接触面は分割方向線に対して直交する平面により形成される。
【００２０】
１５はシール部材であり、上記第１、第２ケース１、２間に介装される。図４（ｄ）に示すように、このシール部材１５は操作ボタン１３と第２ケース２との間隙からの水分、塵埃のキーケース３内への侵入を完全に防止するために、開口部を有しない連続状のシート体として形成される。このシール部材１３には、キーケース３内に配置される部品との干渉を防止するための適宜の凹凸が形成される。また、このシール部材１５の周縁には、第１、第２ケース１、２により挟まれて積層界面を全周に渡ってシールするシール平面１５ａが形成される。
【００２１】
図３に示すように、上記第１ケース１は所定深さのトレイ形状に形成される。この第１ケース１の中央部には、上記シール部材のシール平面１５ａを挟み付ける隔壁により部品収容スペースが区画され、部品収容スペースの外部に、上記メカニカルキー５のキーヘッド部１１が嵌合可能な幅で後方に延びるキー嵌合切欠１ａが形成される。このキー嵌合切欠１ａは、後述する第２ケース２のキー嵌合切欠２ａと協働して挿入開口４を構成する。
【００２２】
また、第１ケース１には、メカニカルキー５のキーブレード部１０が挿入するブレード収容孔１ｂが形成される。ブレード収容孔１ｂは、一端が上記キー嵌合切欠１ａの奥行き方向終端壁から開放され、キー収納方向に長い断面矩形の有底孔として形成される。ブレード収容孔１ｂは、部品収容スペースの底壁内に形成されて部品収容スペースに対して隔離される。さらに、ブレード収容孔１ｂの底壁を形成する第１ケース１の表層壁は前方に延長されてスリット形成壁１ｃとして利用される。
【００２３】
１６は第１ケース１の一部として形成される片持プレート状の連結片であり、図５（ａ）に示すように、キー嵌合切欠１ａの両側壁部に対向して立設される。各連結片１６の自由端には、外側に向けて突条からなる係止部７が形成されるとともに、基端部と係止部７との中間部には、内側に向けて検知部６が突設される。この連結片１６の間隔は、対向する検知部６間の間隔（図５（ａ）における寸法（ｄ１））が、上記キーヘッド部１１の押圧壁１１ｃ間の間隔（ｄ０）よりやや小寸となるように設定される。
【００２４】
一方、第２ケース２は、図３に示すように、上記第１ケース１と同様にキー嵌合切欠２ａを有して第１ケース１とほぼ同一の輪郭形状に形成される。この第２ケース２のキー嵌合切欠２ａの奥行き壁には前方に向けて突出するばね受け片２ｂが形成される。後述するように、このばね受け片２ｂは、第１ケース１側のスリット形成壁１ｃに対峙して配置される。
【００２５】
また、キー嵌合切欠２ａの側壁には、被係止部１７が形成される。図５（ａ）に示すように、被係止部１７は、上記係止部７が嵌合可能な溝形状を有する。
【００２６】
したがってこの実施の形態において、図５に示すように、補助連結部８により連結されたキーケース３にメカニカルキー５のキーヘッド部１１をキー嵌合切欠１ａ、２ａにより形成される挿入開口４に嵌合させると、図５（ｃ）に示すように、キーヘッド部１１の押圧壁１１ｃにより連結片１６の検知部６が排斥され、合成樹脂材により形成される第１ケース１に一体に形成される連結片１６は基端部から弾性変形する。連結片１６の撓みにより、係止部７は第２ケース２側の被係止部１７に嵌合して第１、第２ケース１、２は脱離不能に連結される。
【００２７】
また、この状態からメカニカルキー５を抜去しても、第１、第２ケース１、２は補助連結部８により連結状態が維持される。図５（ａ）に示すように、メカニカルキー５を抜去した状態で、キーケース３前方には、第１ケース１のスリット形成壁１ｃと、第２ケース２側のばね受け片２ｂにより形成される連結解除用スリット１４が露出しており、図６に示すように、この連結解除用スリット１４に、抜去したメカニカルキー５のキーブレード部１０を挿入してこじると、簡単に第１、第２ケース１、２を分割することができる。
【００２８】
さらに、第２ケース２には上記メカニカルキー５の収納状態の保持、保持解除を行うための操作ボタン１８が装着される。図７に示すように、操作ボタン１８は棒状の操作部１８ａと、操作部１８ａの両端下方から両側に延設される取付部１８ｂとを有し、図７（ｆ）、図８（ａ）に示すように、取付部１８ｂを第２ケース２に凹設されたボタン装着凹部２ｃに嵌合し、操作部１８ａを第２ケース２の表面に露出させて第２ケース２に装着される。第２ケース２への装着状態において、操作ボタン１８の操作部１８ａは、図７（ｅ）に示すように、第２ケース２のキー嵌合切欠２ａの奥行き方向終端壁に沿って配置される。
【００２９】
また、操作部１８ａには、第２ケース２に装着した状態で第２ケース２のばね受け片２ｂに対向する円柱状のばね受け突部１８ｃを備えたばね受け片１８ｄが突設される。図８（ｂ）に示すように、第２ケース２と操作ボタン１８のばね受け片２ｂ、１８ｄとの間には、第２ケース２のばね受け片２ｂに突設されるばね受け突部２ｄと操作ボタン１８のばね受け突部１８ｃに中心部を支えられるようにして圧縮コイルばね１９が装着され、操作ボタン１８を後述する上部ストローク終端位置側に付勢する。
【００３０】
上記操作ボタン１８の移動ストロークを図８（ａ）により説明する。操作ボタン１８は、第１、第２ケース１、２の収納操作方向に沿って移動し、図８（ａ）に示される２個の操作ボタン１８は、ストローク方向の第２ケース２に対する相対位置のみを示す。図８（ａ）において上方に示される操作ボタン１８は、上部ストローク終端位置を示し、当該終端位置が、取付部１８ｂの上面がボタン装着凹部２ｃの天井壁に当接して決定されることを示す。これに対し、図８（ａ）において下方に示される操作ボタン１８は、下部ストローク終端位置を示し、ばね受け突部１８ｃが第２ケース２側のばね受け突部２ｄに当接して下部ストローク終端位置が決定されることを示す。
【００３１】
また、操作ボタン１８には装着体係止部９が形成される。装着体係止部９は、上記メカニカルキー５のキーヘッド部１１に形成される係止フック１１ｄに対応して２個形成され、各々取付部１８ｂ基端に固定される。この装着体係止部９は、図７（ｃ）に示すように、第２ケース２に装着した状態で収納されるメカニカルキー５の係止フック１１ｄに形成される傾斜面とほぼ平行な傾斜面を先端面に有して断面直角三角形状に形成される。
【００３２】
したがってこの実施の形態において、メカニカルキー５を収納すると、まず、キーヘッド部１１の係止フック１１ｄの斜面が操作ボタン１８の斜面に当接し、さらにメカニカルキー５を押し込むと、操作ボタン１８は圧縮コイルばね１９の反力に抗して一旦下部ストローク終端位置側に移動した後、図８（ｃ）に示すように、装着体係止部９がキーヘッド部１１の係止フック１１ｄに係止し、以後、メカニカルキー５の抜去を規制する。
【００３３】
この状態から図８（ｄ）に示すように、操作ボタン１８の操作部１８ａを押下すると、装着体係止部９と係止フック１１ｄとの係止が解除され、この状態でメカニカルキー５を抜去することができる。
【図面の簡単な説明】
【００３４】
【図１】本発明を示す図で、（ａ）は平面図、（ｂ）は（ａ）の１Ｂ-１Ｂ線断面図である。
【図２】メカニカルキーを示す図で、（ａ）はキーヘッド部の斜視図、（ｂ）は（ａ）の２Ｂ方向矢視図、（ｃ）は（ｂ）の２Ｃ方向矢視図、（ｄ）は（ｂ）の２Ｄ-２Ｄ線断面図である。
【図３】キーケースの分解斜視図である。
【図４】キーケースを示す図で、（ａ）は図１（ａ）の３Ａ-３Ａ線断面図、（ｂ）は図３（ａ）の３Ｂ部拡大図、（ｃ）は図１（ｂ）の３Ｃ部拡大図、（ｄ）はシール部材の斜視図である。
【図５】キーケースの連結状態を示す図で、（ａ）はキーケースの挿入開口を見た図、（ｂ）はメカニカルキー装着前の状態を示す説明図、（ｃ）はメカニカルキー挿入時の係止部の係止状態を示す説明図である。
【図６】キーケースの分割操作を示す説明図である。
【図７】操作ボタンを示す図で、（ａ）は斜視図、（ｂ）は（ａ）の７Ｂ方向矢視図、（ｃ）は（ｂ）の７Ｃ-７Ｃ線断面図、（ｄ）は（ａ）の７Ｄ方向矢視図、（ｅ）は第２ケースへの装着状態を示す（ａ）の７Ｂ方向から見た図、（ｆ）は第２ケースへの装着状態を示す（ａ）の７Ｄ方向から見た図である。
【図８】操作ボタンの動作を示す図で、（ａ）はストローク終端位置を説明する図７（ｆ）の８Ａ-８Ａ線断面図、（ｂ）は図７（ｆ）の８Ｂ-８Ｂ線断面図、（ｃ）は操作ボタンによりメカニカルキーを係止した状態を示す図１（ｂ）に対応する図、（ｄ）は操作ボタンの係止を解除した状態を示す図８（ｃ）に対応する図である。
【符号の説明】
【００３５】
１、２    ケース構成体
３        キーケース
４        挿入開口
５        ケース装着体
６        検知部
７        係止部
８        補助連結部
９        装着体係止部
【図１】
2007270544.tif 000003
【図２】
2007270544.tif 000004
【図３】
2007270544.tif 000005
【図４】
2007270544.tif 000006
【図５】
2007270544.tif 000007
【図６】
2007270544.tif 000008
【図７】
2007270544.tif 000009
【図８】
2007270544.tif 000010